(57)【要約】  温熱具（１００）は、顔に沿って装着される本体部（１０）と、本体部（１０）に設けられている発熱体（２０）と、本体部（１０）を顔に沿って装着するための装着部（一対の耳掛け部（３０））と、を備え、本体部（１０）は、顔における目から頬にかけての部位を覆うことが可能な寸法に形成されており、本体部（１０）の横幅方向中央部には、当該本体部（１０）の下縁から上に向けて延びるスリット（５４）が形成されており、本体部（１０）の横幅方向中央部における上部には、当該上部を前方に向けて凸の湾曲形状とさせる立体構造部（６０）が形成されている。
2018235879.tif 000002
【特許請求の範囲】
【請求項１】
顔に沿って装着される本体部と、
前記本体部に設けられている発熱体と、
前記本体部を顔に沿って装着するための装着部と、
を備え、
前記本体部は、顔における目から頬にかけての部位を覆うことが可能な寸法に形成されており、
前記本体部の横幅方向中央部には、当該本体部の下縁から上に向けて延びるスリットが形成されており、
前記本体部の横幅方向中央部における上部には、当該上部を前方に向けて凸の湾曲形状とさせる立体構造部が形成されている温熱具。
【請求項２】
前記発熱体の配置領域は、目から頬における口角よりも下の部位にかけての範囲を覆う大きさに設定されている請求項１に記載の温熱具。
【請求項３】
前記スリットの上下寸法が、前記本体部の中央部の上下寸法の４０％以上である請求項１又は２に記載の温熱具。
【請求項４】
前記本体部は、一方の目から一方の頬にかけての部位を覆う第１部分と、他方の目から他方の頬にかけての部位を覆う第２部分と、を含み、
前記立体構造部は、前記スリットの上方において前記第１部分と前記第２部分とを相互に繋いでいる接続部であり、前記接続部は、上下に延在している下側接続部と、前記下側接続部の上側に隣接していて上下に延在している上側接続部と、を含み、
前記本体部を横幅方向中央部で折り曲げて二つ折りしたときに、前記下側接続部と前記上側接続部とのなす角度が１２０度以上１７０度以下であり、
前記本体部を展開したときに、前記本体部の横幅方向中央部における上部が前方に向けて凸の湾曲形状となる請求項１から３のいずれか一項に記載の温熱具。
【請求項５】
前記発熱体は、発熱時に水蒸気の発生を伴うものであり、
当該温熱具は、前記本体部において顔側となる面を通して水蒸気が外部に放出されるように構成されている請求項１から４のいずれか一項に記載の温熱具。
【発明の詳細な説明】
【技術分野】
【０００１】
本発明は、温熱具に関する。
【背景技術】
【０００２】
顔の広範囲を覆う温熱具としては、例えば、特許文献１に記載のものがある。
先行技術文献
特許文献１  特開２０１１−３８８号公報
【発明の概要】
【０００３】
本発明は、顔に沿って装着される本体部と、
前記本体部に設けられている発熱体と、
前記本体部を顔に沿って装着するための装着部と、
を備え、
前記本体部は、顔における目から頬にかけての部位を覆うことが可能な寸法に形成されており、
前記本体部の横幅方向中央部には、当該本体部の下縁から上に向けて延びるスリット（切欠形状部も含む）が形成されており、
前記本体部の横幅方向中央部における上部には、当該上部を前方に向けて凸の湾曲形状とさせる立体構造部が形成されている温熱具に関する。
【図面の簡単な説明】
【０００４】
【図１】実施形態に係る温熱具の平面図（展開状態）である。
【図２】実施形態に係る温熱具の平面図（折り畳み状態）である。
【図３】図１のＡ−Ａ線に沿った断面図である。
【図４】実施形態に係る温熱具を使用者が装着した状態を示す斜視図である。
【図５】実施形態に係る温熱具の立体構造部を形成する方法の一例を説明するための平面図である。
【図６】温熱具の表面最高温度と水蒸気発生量の測定に用いられる装置を示す図である。
【図７】図７（ａ）は変形例１に係る温熱具の平面図であり、図７（ｂ）は変形例２に係る温熱具の平面図である。
【発明の詳細な説明】
【０００５】
特許文献１の温熱具は、顔の広範囲をより十分に温めるという観点で、なお改善の余地がある。
【０００６】
本発明は、顔の広範囲をより十分に温めることが可能な構造の温熱具に関する。
【０００７】
以下、本発明の好ましい実施形態について、図面を用いて説明する。なお、すべての図面において、同様の構成要素には同一の符号を付し、重複する説明は適宜に省略する。
【０００８】
先ず、図１から図５を用いて、本実施形態に係る温熱具１００について説明する。
図１は、温熱具１００の本体部１０及び左右一対の耳掛け部３０を平坦に展開した状態を示している。図１では、温熱具１００において、当該温熱具１００を使用者の顔に装着した状態で顔側となる面を示している。
図２は、装着状態で顔側となる面を内側にして、本体部１０の横幅方向中央部で温熱具１００を二つ折りした（温熱具１００を二つに折り畳んだ）状態を示している。すなわち、図２では、本体部１０の後述する第１部分１１と第２部分１２とが相互に重なっているとともに、左側の耳掛け部３０と右側の耳掛け部３０とが相互に重なった状態を示している。そして、図２では、温熱具１００の本体部１０の第１部分１１において、温熱具１００を使用者の顔に装着した状態で外側に向く面を示している。
【０００９】
図３は、温熱具１００を展開した状態で、第１部分１１と第２部分１２との並び方向に一致する横幅方向に沿って温熱具１００を切断した断面（図１のＡ−Ａ線に沿った断面）を示す図であり、当該温熱具１００を使用者の顔に装着した状態で、顔側を向く面を上側に示し、外側を向く面を下側に示している。
本実施形態において、温熱具１００の各構成要素の位置関係（上下関係等）の説明は、特に断りのない場合は、図４に示すように、頭頂が上、首が下に位置する姿勢の使用者の顔に温熱具１００を装着した状態での位置関係を説明したものである。
【００１０】
図１から図４のいずれかに示すように、本実施形態に係る温熱具１００は、顔に沿って装着される本体部１０と、本体部１０に設けられている発熱体２０と、本体部１０を顔に沿って装着するための装着部（本実施形態の場合、一対の耳掛け部３０）と、を備えている。本体部１０は、後述する立体構造部６０を有するシート状であり、顔における目から頬にかけての部位を覆うことが可能な寸法に形成されている。
ここで、本体部１０が目を覆うとは、眼窩全体（目の周り）の前方（正面側）を覆うことである。また本体部１０が頬を覆うとは、少なくとも頬骨の下端位置の前方（正面側）を覆うことである。すなわち、本体部１０が顔における目から頬にかけての部位を覆うとは、目の周りの上部から頬骨の下部までの範囲の前方の領域を覆うことである。
本体部１０の横幅方向中央部には、当該本体部１０の下縁から上に向けて延びるスリット５４が形成されている。スリット５４は、線状（直線状など）のスリットに限らず、逆Ｖ字状又は逆Ｕ字状などの形状の切欠形状部であってもよい。本実施形態の場合、スリット５４は、図２に示すような折り畳み状態で直線状のスリットが、図１に示すような展開状態では、逆Ｖ字状に開いた状態となるようになっている。
なお、本発明において、装着部は、本実施形態で例示する一対の耳掛け部３０に限らず、本体部１０の左右両端部を繋ぐ帯状又は紐状のものであって、温熱具１００の装着時に後頭部に引っ掛けられるものであってもよい。また、耳掛け部３０は、本体部１０と一体のシートであってもよいし、本体部１０とは別体のものを本体部１０に接合することにより設けられていてもよい。
【００１１】
本体部１０の横幅方向中央部における上部には、当該上部を前方に向けて凸の湾曲形状とさせる立体構造部６０が形成されている。本実施形態の場合、立体構造部６０は、本体部１０の上縁の一部分を含んで構成されている。ただし、本発明は、この例に限らず、立体構造部６０は、本体部１０の上縁を含んでいなくてもよい（本体部１０の上縁よりも下の位置に配置されていてもよい）。
立体構造部６０は、本体部１０の横幅方向中央部における上部を前方に向けて凸の湾曲形状とさせるようになっている。このため、本体部１０の横幅方向中央部における上縁を額に密着又は近接させることが容易となる。これにより、本体部１０の横幅方向中央部における上縁と顔との間隙から温かい空気が上方に逃げてしまうことを抑制し、温かい空気を立体構造部６０内に充満させることができるため、本体部１０に覆われた顔を、広範囲に、かつ十分に温めることができる。
【００１２】
このような温熱具１００によれば、本体部１０が、顔における目から頬にかけての部位を覆うことが可能な寸法に形成されているので、本体部１０に配設された発熱体２０によって顔を広範囲に温めることができる。
本体部１０の横幅方向中央部には、当該本体部１０の下縁から上に向けて延びるスリット５４が形成されていることにより、本体部１０の下方から、本体部１０の下部と顔との間に外気をスムーズに導入することができ、この外気を発熱体２０に供給し、発熱体２０を発熱させることができる。
【００１３】
本実施形態の場合、後述するように、温熱具１００は蒸気温熱具である。このため、先述の空気の場合と同様に、本体部１０の横幅方向中央部における上縁と顔との間隙から蒸気が逃げることを抑制でき、本体部１０と顔との間に蒸気を充満させることができる。
【００１４】
しかも、温熱具１００が立体構造部６０を備えていることによって、温熱具１００を装着したときに、本体部１０の横幅方向中央部における上部に凸形状が形成され、本体部１０の側縁部も湾曲させやすくなり、本体部１０の側縁部（図４に示す湾曲部８１）が前方に凸に湾曲するようにできる。湾曲部８１が形成されることにより、本体部１０の側方から、本体部１０と顔との間に外気をスムーズに導入でき、発熱体２０の全体をより均一に発熱させることが可能となる。なお、湾曲部８１が形成されるのは、人の顔が前方に向けて凸の形状であり、目や頬よりも、耳が後方に位置しているためである。
より詳細には、湾曲部８１は、例えば、以下の（１）及び（２）の条件を満たすように湾曲する。
（１）「耳掛け部３０において耳掛け用スリット３１よりも本体部１０側の部分であって耳掛け用スリット３１に沿った部位の、上端部及び下端部」、又は、「本体部１０の側縁部において耳掛け用スリット３１に沿った部位の、上端部及び下端部」が、相対的に後方に位置するとともに、頬において耳の前側に隣接する部位の近くに配置される。
（２）「耳掛け部３０において耳掛け用スリット３１よりも本体部１０側の部分であって耳掛け用スリット３１に沿った部位の、上下方向における中間部」、又は、「本体部１０の側縁部において耳掛け用スリット３１に沿った部位の、上下方向における中間部」が、相対的に前方に位置するとともに、頬において耳の前側に隣接する部位から側方に離間した位置に配置される。
【００１５】
本体部１０は、両目と両頬とを覆うことが可能な寸法及び形状に形成されている。
本体部１０は、左目から左頬にかけての部位を覆う第１部分１１と、右目から右頬にかけての部位を覆う第２部分１２と、を備えて構成されて、第１部分１１と第２部分１２とは、互いにほぼ同一の形状及び寸法に形成されている。第１部分１１と第２部分１２とは、図１において、左右に並んで配置されており、本体部１０の下部においては、スリット５４を介して相互に分断されている。
【００１６】
本体部１０の平面形状は特に限定されないが、例えば、図１に示すように、やや横長の略四角形状とすることができる。
また、第１部分１１及び第２部分１２の平面形状は、例えば、発熱体２０よりも一回り大きい略四角形状（例えば、やや縦長の四角形状）とすることができる。
【００１７】
本実施形態の場合、本体部１０は、当該本体部１０の上縁から下方に延びるスリット（切欠形状部も含む）を有していないことが好ましい。このような構成とすることにより、本体部１０の上縁が横幅方向において連続的に使用者の額に対して密着でき、温かい空気や蒸気を本体部１０と顔との間に充満させることができる。
本実施形態の場合、本体部１０の上縁は、例えば、略水平に延在しているか、又は、中央部に向けてやや上り傾斜している（上に凸の山形に形成されている）。なお、図２のように温熱具１００を二つ折りにした状態では、例えば、本体部１０の上縁は、本体部１０の側縁に向けて下り傾斜している。
本実施形態の場合、本体部１０の下縁は、例えば、スリット５４の形成箇所を除き、略水平に延在している。なお、図２のように温熱具１００を二つ折りにした状態では、例えば、本体部１０の下縁は、本体部１０の側縁に向けて下り傾斜している。
【００１８】
本体部１０の横幅方向に直交する上下方向の寸法は、例えば、眉山の上縁よりも若干上の部分から口角よりも若干下の部分までを本体部１０が覆うことができるように設定されている。
また、本体部１０の側縁部は、例えば、こめかみから頬の後端付近（頬において耳の前側に隣接する部位）を覆うようになっている。
さらに、第１部分１１及び第２部分１２において、スリット５４に沿った部位は、例えば、鼻の脇から法令線に沿って延在するようになっている。第１部分１１及び第２部分１２の下端は、例えば、下唇よりも下に位置するようになっている。
より詳細には、例えば、発熱体２０においてスリット５４に沿った部位（図１、図４に示す内縁２５）が、法令線に沿って延在するようになっており、本体部１０においてスリット５４に沿った部位の下端部が口角を覆うようになっている。
立体構造部６０は、例えば、額の横幅方向中央部の下端部から鼻梁の上端部（鼻根）にかけての部位を覆うようになっている。
【００１９】
本実施形態の場合、温熱具１００の装着部は、本体部１０の横幅方向両端部にそれぞれ設けられている一対の耳掛け部３０により構成されている。
一対の耳掛け部３０は、本体部１０の横幅方向における両端部に対してそれぞれ繋がっていて、耳に掛けられる部位である。
【００２０】
本実施形態の場合、温熱具１００は、第１シート５１と、第１シート５１に対して重ねて配置されている第２シート５２と、を備えて構成されている。
第１シート５１及び第２シート５２の各々は、単層のシートにより構成されていてもよいし、複数のシートの積層体であってもよい。
第１シート５１及び第２シート５２の各々は、可撓性の材料により構成されている。第１シート５１及び第２シート５２の材料としては、例えば、不織布、織布、その他の編み物、ポリエチレンやウレタン等の樹脂フィルム、多孔質体、それらの任意の２種以上の組み合わせ等が挙げられる。
【００２１】
第１シート５１は、例えば、本体部１０の形状に形成されている。
一方、第２シート５２は、温熱具１００の全体形状と同じ形状に形成されている。より詳細には、図１に示すように、第２シート５２の左端部と右端部がそれぞれ第１シート５１からはみ出しており、はみ出している部分がそれぞれ左右の耳掛け部３０を構成している。温熱具１００の装着時に、第１シート５１は顔側に位置し、第２シート５２は顔とは反対側（つまり外向き）に位置するようになっている。
【００２２】
図３に示すように、第１シート５１と第２シート５２とは、互いの対向面どうしが、接合部５３において相互に接合されている。
第１シート５１と第２シート５２とは、接着又は粘着により接合されていてもよいし、ヒートシールにより接合されていてもよい。本実施形態の場合、接合部５３は、例えば、ホットメルトにより構成されている。
接合部５３は、例えば、本体部１０の周縁部の全周と、本体部１０の横幅方向における中央部の上縁から下縁に亘る範囲と、に配置されている。より詳細には、接合部５３は、例えば、第１部分１１の周縁部の全周と、第２部分１２の周縁部の全周と、に配置されている。接合部５３は、連続であっても、断続的であってもよい。
なお、接合部５３は、第１シート５１と第２シート５２とを接合しているだけでなく、例えば、第１シート５１又は第２シート５２と発熱体２０とを接合している。
【００２３】
第１シート５１と第２シート５２との間には、発熱体２０が設けられている。
より詳細には、第１部分１１と第２部分１２との各々において、第１シート５１と第２シート５２との間に発熱体２０が設けられている。
【００２４】
本実施形態の場合、発熱体２０の配置領域は、目から頬における口角よりも下の部位にかけての範囲を覆う大きさに設定されている。
これによって、顔における目から頬（頬における口角よりも下の部位）にかけての広範囲の部分を、より十分に温めることができる。
【００２５】
より詳細には、第１部分１１に設けられた発熱体２０は、左目から左頬における左の口角よりも下の部位にかけての範囲を覆う大きさに設定されており、第２部分１２に設けられた発熱体２０は、右目から右頬における右の口角よりも下の部位にかけての範囲を覆う大きさに設定されている。
また、第１部分１１に設けられた発熱体２０は、左のこめかみを覆う大きさに設定されており、第２部分１２に設けられた発熱体２０は、右のこめかみを覆う大きさに設定されている。
【００２６】
ここで、第１部分１１には、単体の発熱体が設けられていてもよいし、互いに隣接又は近接して配置された複数の発熱体の集合体である発熱体群が設けられていてもよい。
同様に、第２部分１２には、単体の発熱体が設けられていてもよいし、互いに隣接又は近接して配置された複数の発熱体の集合体である発熱体群が設けられていてもよい。
発熱体２０は、ここでいう単体の発熱体、又は、発熱体群のことを指す。したがって、発熱体２０の配置領域とは、単体の発熱体の配置領域、又は、発熱体群の配置領域とすることができる。
【００２７】
第１部分１１及び第２部分１２の発熱体２０の配置領域の平面形状は特に限定されないが、本実施形態の場合、例えば、各発熱体２０の配置領域は、矩形状（例えば正方形状）に形成されている。
【００２８】
図１に示すように、発熱体２０の配置領域の上縁は、例えば、本体部１０の側縁に向けて上り傾斜している。このため、発熱体２０の配置領域の上縁と本体部１０の上縁との間の領域（すなわち、発熱体２０の上側における発熱体２０の不存在領域）の上下寸法は、例えば、本体部１０の横幅方向中央に向けて徐々に拡大している（本体部１０の側縁に向けて徐々に縮小している）。これにより、本体部１０の横幅方向中央部における上部が前方に向けて凸の湾曲形状となり、温熱具１００の上縁を額に密着又は近接させて装着することが容易となる。
また、発熱体２０においてスリット５４に沿った部位（図１、図４に示す内縁２５）は、例えば、スリット５４に対して平行に延在している。内縁２５は、例えば、スリット５４に対して近接して配置されている。
一方、発熱体２０において内縁２５とは反対側の縁部（図１に示す外縁２６）は、例えば、第１シート５１の側辺５１ａ（図１）に沿って延在（例えば、側辺５１ａに対して平行に延在）している。外縁２６は、例えば、側辺５１ａに対して近接して配置されている。
【００２９】
図３に示すように、発熱体２０は、例えば、第１被覆シート２１と、第２被覆シート２２と、第１被覆シート２１と第２被覆シート２２との間に保持されているシート状の発熱材２３と、を備えて構成されている。
【００３０】
第１被覆シート２１と第２被覆シート２２とは、例えば、互いに同一の形状及び寸法に形成されている。また、それらの外形線が一致するように互いに重ね合わされており、且つ、それらの周縁部どうしが相互に接合されている。これにより、発熱材２３を内部に収容する収容体が構成されている。第１被覆シート２１と第２被覆シート２２との接合は、粘着又は接着によりなされていてもよいし、ヒートシールによりなされていてもよい。
第１被覆シート２１及び第２被覆シート２２の平面形状は特に限定されないが、本実施形態の場合、第１被覆シート２１及び第２被覆シート２２は、例えば、それぞれ矩形状（例えば正方形状）に形成されている。
第１被覆シート２１は、第１シート５１側、すなわち温熱具１００の装着時に顔側となる方に配置されており、第２被覆シート２２は、第２シート５２側、すなわち装着時に顔側とは反対側（前側）となる方に配置されている。
【００３１】
発熱材２３は、被酸化性金属を含んで構成されている。発熱材２３は、被酸化性金属が酸素と接触することによる酸化反応で発熱するようになっている。また、本実施形態の場合、発熱材２３は、被酸化性金属が酸素と接触することによる酸化反応で生じた熱を利用して、加熱された水蒸気を発生するように構成されている。
発熱材２３は、例えば、被酸化性金属、反応促進剤、電解質及び水を含んでいる。
【００３２】
発熱材２３は、例えば、シート状に形成されている。
第１被覆シート２１と第２被覆シート２２とにより構成される一の収容体内に、１枚の発熱材２３が収容されていてもよいし、複数枚の発熱材２３が収容されていてもよい。
なお、上述の「単体の発熱体」は、一の収容体と、当該一の収容体に収容された１枚又は複数枚の発熱材２３と、を備えて構成される。
一方、上述の「発熱体群」は、このような構成の「単体の発熱体」を複数、互いに隣接又は近接して配置することにより構成される。
例えば、１枚又は複数枚の発熱材２３が、第１被覆シート２１及び第２被覆シート２２よりも一回り小さい矩形状（例えば正方形状）の領域に配置されている。
また、発熱材２３は、第１被覆シート２１又は第２被覆シート２２の少なくとも一方に対して接合されていることが好ましい。
【００３３】
また、上述の接合部５３は、発熱体２０の周縁部と、第１シート５１又は第２シート５２の少なくともいずれか一方と、を相互に接合している。すなわち、接合部５３は、第１被覆シート２１と第１シート５１とを相互に接合しているか、又は、第２被覆シート２２と第２シート５２とを相互に接合している。本実施形態の場合、例えば、図３に示すように、接合部５３は、第１被覆シート２１と第１シート５１とを相互に接合しているとともに、第２被覆シート２２と第２シート５２とを相互に接合している。
こうして、左右の発熱体２０は、それぞれ第１部分１１及び第２部分１２の内部に保持されている。
なお、発熱体２０の中央部（周縁部以外の部分）においては、例えば、発熱体２０と第１シート５１とが相互に非接合となっているとともに、発熱体２０と第２シート５２とが相互に非接合となっている（図３参照）。
【００３４】
発熱体２０の第１被覆シート２１と第２被覆シート２２は、少なくとも一方が通気性を有している。
本実施形態の場合、第１被覆シート２１は通気性を有している。また、第１被覆シート２１は第２被覆シート２２と比べてより通気性が高い。なお、第２被覆シート２２は通気性を有していてもよいし、通気性を実質的に有していなくてもよい。
【００３５】
さらに、第１被覆シート２１は、空気及び水蒸気の透過が可能なように通気性を有している。一方、第２被覆シート２２は、第１被覆シート２１よりも難通気性であるか、又は非通気性である。
第１被覆シート２１の通気度は、顔の広範囲をより十分に温める点から好ましくは１０００秒／１００ｍｌ以上であり、より好ましくは２０００秒／１００ｍｌ以上である。また、好ましくは５００００秒／１００ｍｌ以下であり、より好ましくは２００００秒／１００ｍｌ以下である。
通気度は、ＪＩＳ Ｐ８１１７によって測定される値であり、一定の圧力のもとで１００ｍｌの空気が６．４５ｃｍ２の面積を通過する時間で定義される。通気度は、王研式通気度計もしくはそれに準じた測定機で測定することができる。
【００３６】
このような通気性を有するシートとしては、透湿性は有するが透水性を有さない樹脂製の多孔質シートや通気穴を有する樹脂製のシートを用いることができ、例えば、ポリエチレン、ポリプロピレン、エチレン酢酸ビニル共重合体等を用いることができる。
樹脂製の多孔質シートとしては、熱可塑性樹脂及び該樹脂と相溶性のない有機又は無機のフィラーの溶融混練物をフィルム状に成形し、一軸又は二軸延伸して得られたものを用いることができる。また、非通気性シートや難通気性シートに針等で微細穴を設けたものや、あるいは前述の通気性シートにさらに針等で微細穴を設けたものを用いることができる。通気性シートの厚みは、５μｍ以上２００μｍ以下が好ましい。
【００３７】
一方、第２被覆シート２２は、通気性を有するシートであってもよいし、非通気性のシートであってもよい。第２被覆シート２２が通気性シートの場合は、通気度が８００００秒／１００ｍｌ以上であることが好ましい。第２被覆シート２２が非通気性シートである場合、非通気性シートとしては、非通気性の樹脂フィルムと紙等とをラミネートした積層シートを用いることができる。
第１被覆シート２１及び第２被覆シート２２は、それぞれ１枚のシート材から構成されていてもよいし、複数のシート材の積層体から構成されていてもよい。このような積層体としては、不織布と通気性シートとをラミネートした積層シート、又は、編み物地と通気性シートとをラミネートした積層シートを用いることができる。
【００３８】
本実施形態の場合、上述のように、発熱材２３が発熱により水蒸気を発生するものであるとともに、第１被覆シート２１が透湿性を有しており、且つ、第１シート５１が透湿性を有する。このため、本体部１０において顔側となる面を通して水蒸気を放出させ、この水蒸気を顔に当てることができるようになっている。
すなわち、発熱材２３は、発熱時に水蒸気の発生を伴うものであり、温熱具１００は、本体部１０において顔側となる面を通して水蒸気が外部に放出されるように構成されている。
【００３９】
本実施形態において、耳掛け部３０は、上下に長尺な形状（縦長の形状）に形成されている。耳掛け部３０の上下寸法は、例えば、本体部１０の上下寸法と同等の寸法に設定されている。耳掛け部３０が縦長であることにより、耳掛け部３０によって本体部１０の側縁部の上端部と下端部とをそれぞれ後方に引っ張ることができるため、湾曲部８１を十分に湾曲させることが可能となる。
【００４０】
左右の耳掛け部３０には、それぞれ耳掛け用の開口（以下、耳掛け用開口３０ａ）が形成されている。耳掛け用の開口は、縦長に形成されている。本実施形態の場合、耳掛け用開口３０ａは、縦長の耳掛け用スリット３１である。温熱具１００を装着する際には、図４に示すように、本体部１０を顔の目７５から頬７６にかけての部分にあてがうとともに、左右の耳掛け部３０の耳掛け用スリット３１に左右の耳７４を入れて、耳掛け部３０を耳７４の後ろに引っ掛ける。
【００４１】
より詳細には、耳掛け用スリット３１の下端の高さ位置は、例えば、発熱体２０の下端と略同等の高さ位置に設定されている。一方、耳掛け用スリット３１の上端の高さ位置は、例えば、発熱体２０の上端よりも下方の位置に設定されているとともに、上下方向における発熱体２０の中心２０ｃ（図１、図２）よりも上方の位置に設定されている。
つまり、耳掛け用スリット３１は、発熱体２０を基準として、やや下方寄りに配置されている。耳掛け用スリット３１がこのような配置となっていることによって、温熱具１００を装着したときに、スリット５４が逆Ｖ字状ないしは逆Ｕ字状に大きく開くようにできるとともに、立体構造部６０と顔との間隙の大きさを十分に確保できる。しかも、本体部１０の上部をより強く後方に引っ張るようにできるため、湾曲部８１を十分に湾曲させることができる。
【００４２】
耳掛け用スリット３１の上端と耳掛け部３０の上縁との間の部分は、耳掛け部３０において、耳掛け用スリット３１よりも本体部１０に近い側の部分と耳掛け用スリット３１よりも本体部１０から遠い側の部分とを耳掛け用スリット３１の上側で接続する耳掛け上側接続部３２となっている。
同様に、耳掛け用スリット３１の下端と耳掛け部３０の下縁との間の部分は、耳掛け部３０において耳掛け用スリット３１よりも本体部１０に近い側の部分と耳掛け用スリット３１よりも本体部１０から遠い側の部分とを耳掛け用スリット３１の下側で接続する耳掛け下側接続部３３となっている。
本実施形態の場合、耳掛け上側接続部３２の上下幅寸法Ｌ１（図１、図２）が、耳掛け下側接続部３３の上下幅寸法Ｌ２（図１、図２）よりも大きく設定されている。換言すれば、耳掛け部３０の上縁と耳掛け用スリット３１の上端との距離が、耳掛け用スリット３１の下端と耳掛け部３０の下縁との距離よりも大きい。
これにより、温熱具１００の装着時における耳掛け上側接続部３２の伸びを抑制でき、耳掛け部３０を耳に掛けた際に、耳掛け部３０によって本体部１０の側縁部の上部をより十分に後方に引っ張ることができる。よって、図４に示すように湾曲部８１を十分に湾曲させることができるとともに、本体部１０において湾曲部８１よりも横幅方向中央寄りの部分を顔に対して良好にフィットさせることができる。
その一方で、耳掛け下側接続部３３の適度な伸びを実現できることから、使用者の耳のサイズにかかわらず耳掛け部３０を良好に耳にフィットさせることができる。
【００４３】
ここで、上下幅寸法Ｌ１は、例えば、耳掛け用スリット３１の上端と下端とを結ぶ直線ＡＸ１（図１、図２）上における耳掛け部３０の上縁と耳掛け用スリット３１の上端との距離とすることができる。
また、上下幅寸法Ｌ２は、直線ＡＸ１（図１、図２）上における耳掛け部３０の下縁と耳掛け用スリット３１の下端との距離とすることができる。
【００４４】
耳掛け用スリット３１は、例えば、横幅方向において本体部１０から遠ざかる方向に向けて凸に湾曲している。つまり、図１に示す展開状態において、左側の耳掛け用スリット３１は左方に向けて凸に湾曲しており、右側の耳掛け用スリット３１は右方に向けて凸に湾曲している。
より詳細には、本実施形態の場合、耳掛け用スリット３１は、例えば、横幅方向において本体部１０から遠ざかる方向に凸に折れ曲がった折れ線形状に形成されている。
耳掛け用スリット３１は、例えば、耳掛け用スリット３１の下部を構成する直線状の耳掛け用スリット下部３１ａと、耳掛け用スリット３１の上部を構成する直線状の耳掛け用スリット上部３１ｂと、を含んで構成されている。
そして、耳掛け用スリット下部３１ａと耳掛け用スリット上部３１ｂとの境界部である耳掛け用スリット３１の折れ曲がり部３１ｃが、耳掛け用スリット３１の上下方向における中央位置（耳掛け用スリット中央３１ｄ）よりも下に配置されている。
【００４５】
耳掛け用スリット３１の折れ曲がり部３１ｃが耳掛け用スリット中央３１ｄよりも下に配置されていることから、耳掛け用スリット３１に耳を通して耳掛け部３０を耳に引っ掛ける際に、耳掛け部３０において耳掛け用スリット上部３１ｂに沿う部分３５（図１参照）をより長い距離に亘り耳で押し広げて本体部１０から遠い方向へ撓ませることとなる。つまり、本体部１０の上部をより強く後方に引っ張ることとなる。よって、図４に示すように湾曲部８１を十分に湾曲させることができる。
【００４６】
特に、上記のように上下幅寸法Ｌ１が上下幅寸法Ｌ２よりも大きくなっている場合に、耳掛け用スリット３１の折れ曲がり部３１ｃが耳掛け用スリット中央３１ｄよりも下に配置されていることによって、耳掛け上側接続部３２の伸びを抑制できるため、本体部１０の上部をより強く後方に引っ張って、湾曲部８１を十分に湾曲させることができる。
【００４７】
本実施形態の場合、耳掛け用スリット下部３１ａの下端と第１シート５１の側辺５１ａとが互いに近接して配置されているとともに、耳掛け用スリット上部３１ｂの上端と第１シート５１の側辺５１ａとが互いに近接して配置されている。これにより、耳掛け上側接続部３２及び耳掛け下側接続部３３の伸びが適度に抑制できることから、耳掛け部３０によって十分に本体部１０の側縁部の上端部及び下端部を引っ張ることが可能となっている。
また、本実施形態の場合、耳掛け用スリット下部３１ａの下端と発熱体２０の外縁２６との距離と、耳掛け用スリット上部３１ｂの上端と発熱体２０の外縁２６との距離とが、互いに同等の距離に設定されている。
【００４８】
また、発熱体２０の上下方向における中心２０ｃと耳掛け用スリット中央３１ｄとが互いに同等の高さ位置に配置されていることが好ましく、このような構成によって、より確実に、湾曲部８１を湾曲させることができる。中心２０ｃと耳掛け用スリット中央３１ｄとの高低差は、例えば、３ｃｍ以下であることが好ましく、２ｃｍ以下であることが更に好ましく、１ｃｍ以下であることが一層好ましい。
【００４９】
なお、本発明において、耳掛け用スリット３１の形状は、本実施形態のような折れ線形状に限らず、本体部１０から遠ざかる方向（側方）に向けて凸の曲線状（弧状等）に形成されていてもよい。
【００５０】
ここで、上述の立体構造部６０について説明する。
上述のように、本体部１０は、一方の目（左目）から一方の頬（左頬）にかけての部位を覆う第１部分１１と、他方の目（右目）から他方の頬（右頬）にかけての部位を覆う第２部分１２と、を含んで構成されている。
本実施形態の場合、立体構造部６０は、スリット５４の上方において第１部分１１と第２部分１２とを相互に繋いでいる接続部６１である。
接続部６１は、上下に延在している下側接続部６１ａと、下側接続部６１ａの上側に隣接していて上下に延在している上側接続部６１ｂと、を含んで構成されている。
図２に示すように、温熱具１００を二つ折りにした状態で、下側接続部６１ａと上側接続部６１ｂとは、互いに同一直線上には存在しておらず、互いの境界部において相互に折れ曲がっている。より詳細には、下側接続部６１ａと上側接続部６１ｂとは、角度αを有して折れ曲がっている。
そして、本体部１０を展開したときには、本体部１０の横幅方向中央部における上部が前方に向けて凸の湾曲形状となるようになっている（図４参照）。
上記角度α（図２）は、好ましくは１２０度以上１７０度以下、より好ましくは１３０度以上１６０度以下である。このような角度を有することによって、温熱具１００を装着したときに、本体部１０の横幅方向中央部における上縁を良好に額７１に密着又は近接させることができる（図４参照）とともに、顔と立体構造部６０との間の間隙を十分に確保し、当該間隙に十分な体積の温かい空気を充満させることができる。
【００５１】
また、上述のように、本体部１０の横幅方向中央部には、スリット５４が形成されている。このスリット５４は、本体部１０の下縁から上に向けて延びている。
ここで、スリット５４の上下寸法Ｈ２（図２、図５）が、本体部１０の中央部の上下寸法Ｈ１の４０％以上であることが好ましい。上下寸法Ｈ２は、上下寸法Ｈ１の５０％以上であることが更に好ましい。
上下寸法Ｈ２が上下寸法Ｈ１の４０％以上であると、図１に示すように本体部１０を展開して立体構造部６０を立体形状にしたときに、図２に示す折り畳み状態で直線状のスリット５４が逆Ｖ字状ないしは逆Ｕ字状に大きく開くようにできる。つまり、図４に示すように、温熱具１００を顔に装着したときに、スリット５４が逆Ｖ字状ないしは逆Ｕ字状に大きく開くとともに、法令線に沿って延在するようにできる。これによって、本体部１０の下方から、本体部１０の下部と顔との間に外気をよりスムーズに導入することができる。
また、例えば、図４に示すように、温熱具１００を顔に装着したときに、スリット５４を介して鼻７２及び口７３が露出するようになっていることが好ましく、これにより、温熱具１００の装着時における呼吸を楽に行うことができるようになる。
なお、上下寸法Ｈ２は、上下寸法Ｈ１の７５％以下が好ましく、７０％以下がさらに好ましい。
【００５２】
また、このようにスリット５４が逆Ｖ字状ないしは逆Ｕ字状に大きく開いていると、図１に示すように本体部１０及び耳掛け部３０を展開したときには、図２のように温熱具１００を二つ折りにしたときと比べて、縦長の形状の耳掛け部３０が、傾斜するようにできる。
すなわち、図１の状態では、図２の状態と比べて、耳掛け用スリット３１の上端と下端とを結ぶ直線ＡＸ１が、当該直線ＡＸ１の上部に向けて本体部１０の横幅方向中央部に近づくように傾斜する。
このため、温熱具１００を装着したときには、耳掛け部３０の上部がより強く後方に引っ張られることとなり、湾曲部８１をより十分に湾曲させることが可能となる。
【００５３】
また、スリット５４が逆Ｖ字状ないしは逆Ｕ字状に大きく開くことにより、各発熱体２０が顔の目元から頬にかけての部位に対して良好にフィットするようにできる。
【００５４】
本発明において、図１に示すように本体部１０及び一対の耳掛け部３０を平坦に展開した状態において、一対の耳掛け部３０どうしの距離をＷ、耳掛け用開口３０ａ（耳掛け用スリット３１）の縦寸法をＨとすると、Ｈ／Ｗが０．２以上であることが好ましい。
ここで、本体部１０及び一対の耳掛け部３０を平坦に展開した状態とは、温熱具１００の全体をなるべく平坦に広げて温熱具１００の全体を自然に載置した状態（ただし、温熱具１００を周囲に引き伸ばす張力を付与せず、温熱具１００が後述する立体構造部６０を備えている場合は立体構造部６０の全体でひずみを均等にした状態）である。
耳掛け用開口３０ａの縦寸法Ｈは、一対の耳掛け部３０の並び方向（図１における左右方向）に対して直交する方向における耳掛け用開口３０ａの寸法、すなわち耳掛け用開口３０ａの上端と下端との高低差（耳掛け用スリット下部３１ａの下端と耳掛け用スリット上部３１ｂの上端との高低差）である。
距離Ｗは、例えば、発熱体２０の上下方向における中心２０ｃと同じ高さ位置での、一対の耳掛け部３０どうしの距離とすることができる。一対の耳掛け部３０どうしの距離は、図１に示すように、発熱体２０の上下方向における中心２０ｃと同じ高さにおいて、一対の耳掛け用開口３０ａの互いに最も遠い部分どうしの距離である（変形例として後述する図７（ａ）及び図７（ｂ）についても参照）。
Ｈ／Ｗが０．２以上であることによって、湾曲部８１をより確実に湾曲させることができる。Ｈ／Ｗは、０．２５以上であることが更に好ましい。また、Ｈ／Ｗは、０．７以下であることが好ましく、０．６以下であることが更に好ましい。
【００５５】
また、耳掛け部３０の長さをＬとすると、Ｈ／Ｌが０．６以上であることが好ましく、このようにすることによって、湾曲部８１をより確実に湾曲させることができる。
本実施形態のように耳掛け用スリット３１が実質的に幅を持たないスリットである場合、耳掛け部３０の長さＬは、耳掛け用スリット３１の総延長の長さ、すなわち耳掛け用スリット下部３１ａの長さ寸法と耳掛け用スリット上部３１ｂの長さ寸法との和とすることができる。
Ｈ／Ｌは、０．８以上であることが更に好ましい。
なお、Ｈ／Ｌは、１以下である。
【００５６】
温熱具１００は、使用前の状態では、例えば、酸素バリア性を有する包装材により構成された包装袋（不図示）に密封されている。使用時に包装袋から温熱具１００が取り出されることによって、発熱体２０の発熱材２３が空気中の酸素と接触して発熱するとともに水蒸気（蒸気温熱）を発生し、この水蒸気が第１被覆シート２１及び第１シート５１を介して外部に放出されるようになっている。
よって、使用者が温熱具１００を装着することによって、この水蒸気が使用者の顔面に供給されるようになっている。これにより、蒸しタオルで使用者の顔面を温めるような具合になる。このように、本実施形態に係る温熱具１００は、蒸気温熱具である。
温熱具１００を装着するには、本体部１０の第１シート５１を顔側にして、第１部分１１及び第２部分１２をそれぞれ左右の目７５から頬７６にかけての部位にあてがい、一対の耳掛け部３０をそれぞれ左右の耳７４に引っ掛ける。
【００５７】
ここで、図５を用いて、立体構造部６０の形成方法の一例を説明する。
図５に示す温熱具構成シート１２０は、温熱具１００を作製するための材料である。温熱具構成シート１２０は、図５に示す左右一対の接合予定部５６どうしが相互に未接合である点で、温熱具１００と相違しており、その他の点では、温熱具１００と同様に構成されている。
例えば、図５に示すように、第１シート５１及び第２シート５２において本体部１０の横幅方向中央部の上縁部に、Ｖ字状の切欠形状部５５を形成することにより、温熱具構成シート１２０が得られる。そして、切欠形状部５５の左右両側の縁部である一対の接合予定部５６を相互に接合することにより、図１及び図２に示すように立体構造部６０の上側接続部６１ｂを形成し、温熱具１００を作製することができる。
立体構造部６０の下側接続部６１ａは、例えば、第１シート５１及び第２シート５２において、元々、第１部分１１側の部分と第２部分１２側の部分とが相互に繋がっている部分である。
【００５８】
なお、立体構造部６０を形成する方法は、この例に限らず、例えば、第１シート５１及び第２シート５２において本体部１０の横幅方向中央部の上縁部に、上下に延在する直線状のスリット（不図示）を形成し、このスリットの左右両側の部分を相互にオーバーラップさせて接合することによって、図１及び図２と同様の立体構造部６０を形成することができる。
または、下側接続部６１ａと上側接続部６１ｂとの構造を本実施形態とは逆転させてもよい。この場合、上側接続部６１ｂについては、第１シート５１及び第２シート５２において、元々、第１部分１１側の部分と第２部分１２側の部分とが相互に繋がっている部分とする。一方、下側接続部６１ａについては、スリット５４の上側に連なるスリットの左右両側の縁部どうしを相互に接合することにより形成する。
または、本体部１０の横幅方向中央部の上部に、型押し（プレス）によって立体構造部６０を形成することもできる。
または、本体部１０の横幅方向中央部の上部を、部分的にゴム繊維入りの構造とし、当該部分を横幅方向において縮めることによって、立体構造部６０を形成することもできる。
【００５９】
温熱具１００は、例えば、表面最高温度が３８〜７０℃とすることが好ましい。温熱具１００の表面最高温度と水蒸気発生量は、図６に示す装置９０を用いて、次のように測定される数値である。図６に示す装置９０は、アルミニウム製の測定室（容積４Ｌ）９１と、測定室９１の下部に除湿空気（湿度２％未満、流量２．１Ｌ／分）を流入させる流入路９２と、測定室９１の上部から空気を流出させる流出路９３と、流入路９２に設けられた入口温湿度計９４及び入口流量計９５と、流出路９３に設けられた出口温湿度計９６及び出口流量計９７と、測定室９１内に設けられた温度計（サーミスタ）９８と、を備えて構成されている。温度計９８としては、温度分解能が０．０１℃程度のものを使用する。
【００６０】
温熱具１００の表面最高温度の測定は、温熱具１００を測定環境温度３０℃（３０±１℃）において包装袋から取り出し、温熱具１００の顔側に位置する面（上記第１シート５１と第２シート５２とのうち第１シート５１側の面）を上にして測定室９１に載置し、金属球（質量４．５ｇ）をつけた温度計９８をその上に載せて計測する。
また、この状態で下部より除湿空気を流し、入口温湿度計９４と出口温湿度計９６で計測される温度及び湿度から測定室９１に空気が流入する前後の絶対湿度の差を求め、さらに入口流量計９５と出口流量計９７で計測される流量から温熱具１００が放出した水蒸気量を算出する。
なお、本明細書における表面温度とは、温熱具１００を包装袋から取り出した後、すなわち水蒸気発生が開始されて以降の温熱具１００表面の最高到達温度をいい、本明細書における水蒸気発生量とは、温熱具１００を酸素遮断袋から取り出した時点、すなわち水蒸気発生の開始時を起点とし、１０分後までに測定された水蒸気量の総量をいう。
【００６１】
以上のような実施形態によれば、温熱具１００の本体部１０は、顔における目から頬にかけての部位を覆うことが可能な寸法に形成されており、本体部１０の横幅方向中央部には、当該本体部１０の下縁から上に向けて延びるスリット５４が形成されており、本体部１０の横幅方向中央部における上部には、当該上部を前方に向けて凸の湾曲形状とさせる立体構造部６０が形成されている。
よって、本体部１０によって顔における目から頬にかけての部位を覆った状態で、発熱体２０によって顔を広範囲に温めることができる。また、本体部１０の下方から、本体部１０の下部と顔との間に外気をスムーズに導入することができ、この外気を発熱体２０に供給し、発熱体２０を発熱させることができる。そして、本体部１０の横幅方向中央部における上縁を額に密着又は近接させることが容易となるため、本体部１０の横幅方向中央部における上縁と顔との間隙から温かい空気が上方に逃げてしまうことを抑制でき、この温かい空気を本体部１０と顔との間に充満させることができる。よって、顔の広範囲をより十分に温めることができる。
【００６２】
以下、上記の実施形態の変形例を説明する。
【００６３】
図７（ａ）に示す変形例１、及び、図７（ｂ）に示す変形例２のように、耳掛け用開口３０ａは、横幅を有する形状の耳掛け用スリット３１となっていてもよい。図７（ａ）に示す変形例１の場合、耳掛け用開口３０ａにおける本体部１０から遠い側の周長Ｌは、図７（ａ）に示す長さＬ１１と長さＬ１２との和となる。
また、図７（ｂ）に示す変形例２の場合、耳掛け用開口３０ａにおける本体部１０から遠い側の周長Ｌは、耳掛け用開口３０ａの上端と下端とを結ぶ長手軸ＡＸ２を基準として本体部１０から遠い側の縁に沿った長さ、すなわち図７（ｂ）に示す長さＬ１３である。
【００６４】
本発明は上述の実施形態及び各変形例に限定されるものではなく、本発明の目的が達成される限りにおける種々の変形、改良等の態様も含む。
【００６５】
例えば、上記においては、本体部１０に形成されている立体構造部６０の数が１つである例を説明したが、複数（例えば２つ）の立体構造部６０が左右に並んで配置されていても良い。
【００６６】
また、上記においては、一連のシート（第２シート５２）の一部分ずつにより本体部１０と一対の耳掛け部３０とが構成されている例を説明したが、耳掛け部３０は、本体部１０を構成するシートとは別体のシートを、本体部１０を構成するシートに対して接合することによって、本体部１０に設けられていてもよい。
【００６７】
また、発熱体２０は、蒸気を放出しない発熱性のものであってもよい。したがって、温熱具１００は、蒸気温熱具ではなく、単なる温熱具であってもよい。
【００６８】
上記実施形態は、以下の技術思想を包含する。
＜１＞顔に沿って装着される本体部と、
前記本体部に設けられている発熱体と、
前記本体部を顔に沿って装着するための装着部と、
を備え、
前記本体部は、顔における目から頬にかけての部位を覆うことが可能な寸法に形成されており、
前記本体部の横幅方向中央部には、当該本体部の下縁から上に向けて延びるスリットが形成されており、
前記本体部の横幅方向中央部における上部には、当該上部を前方に向けて凸の湾曲形状とさせる立体構造部が形成されている温熱具。
＜２＞前記発熱体の配置領域は、目から頬における口角よりも下の部位にかけての範囲を覆う大きさに設定されている＜１＞に記載の温熱具。
＜３＞前記スリットの上下寸法が、前記本体部の中央部の上下寸法の４０％以上である＜１＞又は＜２＞に記載の温熱具。
＜４＞前記本体部は、一方の目から一方の頬にかけての部位を覆う第１部分と、他方の目から他方の頬にかけての部位を覆う第２部分と、を含み、
前記立体構造部は、前記スリットの上方において前記第１部分と前記第２部分とを相互に繋いでいる接続部であり、前記接続部は、上下に延在している下側接続部と、前記下側接続部の上側に隣接していて上下に延在している上側接続部と、を含み、
前記本体部を横幅方向中央部で折り曲げて二つ折りしたときに、前記下側接続部と前記上側接続部とのなす角度が１２０度以上１７０度以下であり、
前記本体部を展開したときに、前記本体部の横幅方向中央部における上部が前方に向けて凸の湾曲形状となる＜１＞から＜３＞のいずれか一項に記載の温熱具。
＜５＞前記発熱体は、発熱時に水蒸気の発生を伴うものであり、
当該温熱具は、前記本体部において顔側となる面を通して水蒸気が外部に放出されるように構成されている＜１＞から＜４＞のいずれか一項に記載の温熱具。
＜６＞前記本体部は、当該本体部の上縁から下方に延びるスリット及び切欠形状部を有していない上記いずれか一項に記載の温熱具。
＜７＞前記本体部の上縁は、略水平に延在しているか、又は、中央部に向けてやや上り傾斜している上記いずれか一項に記載の温熱具。
＜８＞前記本体部において、前記本体部の横幅方向中央部の下縁から上に向けて延びる前記スリットに沿った部位は、鼻の脇から法令線に沿って延在するようになっている上記いずれか一項に記載の温熱具。
＜９＞前記装着部は一対の耳掛け部により構成されている上記いずれか一項に記載の温熱具。
＜１０＞前記耳掛け部は、前記本体部と一体のシートで形成されている＜９＞に記載の温熱具。
＜１１＞当該温熱具は、顔側に位置する第１シートと、前記第１シートに対して重ねて配置されている第２シートと、を備えて構成されており、前記第２シートの横幅方向における両端部（左端部と右端部）がそれぞれ前記第１シートからはみ出しており、当該はみ出している部分が前記一対の耳掛け部の一方ずつを構成している＜９＞又は＜１０＞に記載の温熱具。
＜１２＞前記発熱体の配置領域の上縁と前記本体部の上縁との間の領域の前記発熱体の不存在領域の上下寸法は、前記本体部の横幅方向中央に向けて徐々に拡大している上記いずれか一項に記載の温熱具。
＜１３＞前記耳掛け部には、それぞれ縦長の耳掛け用の開口が形成されており、前記耳掛け用開口は、縦長の耳掛け用スリットである上記いずれか一項に記載の温熱具。
＜１４＞前記耳掛け用開口の下端の高さ位置は、前記発熱体の下端と略同等の高さ位置であり、前記耳掛け用開口の上端の高さ位置は、前記発熱体の上端よりも下方の位置に設定されている上記いずれか一項に記載の温熱具。
【００６９】
この出願は、２０１７年６月２２日に出願された日本出願特願２０１７−１２２４８５号を基礎とする優先権を主張し、その開示の総てをここに取り込む。
【符号の説明】
【００７０】
１０  本体部
１１  第１部分
１２  第２部分
２０  発熱体
２０ｃ  中心
２１  第１被覆シート
２２  第２被覆シート
２３  発熱材
２５  内縁
２６  外縁
３０  耳掛け部
３０ａ  耳掛け用開口
３１  耳掛け用スリット
３１ａ  耳掛け用スリット下部
３１ｂ  耳掛け用スリット上部
３１ｃ  折れ曲がり部
３１ｄ  耳掛け用スリット中央
３２  耳掛け上側接続部
３３  耳掛け下側接続部
３５  部分
５１  第１シート
５１ａ  側辺
５２  第２シート
５３  接合部
５４  スリット
５５  切欠形状部
５６  接合予定部
６０  立体構造部
６１  接続部
６１ａ  下側接続部
６１ｂ  上側接続部
７１  額
７２  鼻
７３  口
７４  耳
７５  目
７６  頬
８１  湾曲部
１００  温熱具
１２０  温熱具構成シート
【図１】
2018235879.tif 000003
【図２】
2018235879.tif 000004
【図３】
2018235879.tif 000005
【図４】
2018235879.tif 000006
【図５】
2018235879.tif 000007
【図６】
2018235879.tif 000008
【図７】
2018235879.tif 000009
【国際調査報告】
2018235879.tif 000010
2018235879.tif 000011
2018235879.tif 000012